(57)【要約】【課題】上下に分割可能な構造のカード処理装置において、カード処理装置の上部または下部を回転させて開口させた場合に、当該カード処理装置の各部の破損を抑制することが出来るカード処理装置を提供する。【解決手段】上部フレーム１１を下部フレーム５１に対して４５°の角度内で回動させる場合は、係合部２３と係合部６３との係合により、上部フレーム１１の回動範囲が規制される。上部フレーム１１を下部フレーム５１に対して４５°の角度を超えて回動させる場合は、本体上部３１に取り付けられた天板２１を取り外した後に回動させる。上部フレーム１１と下部フレーム５１とを分離する場合は、天板２１が取り外された本体上部３１を９０°の角度まで回動させた後、排出方向Ｏにスライドさせて両フレームを分離する。【選択図】図３
2010152635.tif 000002
【特許請求の範囲】
【請求項１】
挿入されたカードを搬送するための搬送路を形成する一対のフレームと、
前記一対のフレームの内、いずれか一方のフレームを他方のフレームに対して回動させるための回動機構と、
を備えたカード処理装置において、
前記一対のフレームを、第１の基部と第１回動規制部材とを有する第１フレームと、第２の基部と第２回動規制部材とを有する第２フレームとから構成し、
前記第１回動規制部材と前記第２回動規制部材とにより、前記第１フレームを前記第２フレームに対して第１の所定角度内で回動させる場合の回動範囲を規制し、
前記第１回動規制部材および／または前記第２回動規制部材は、前記第１フレームおよび／または前記第２フレームから取り外し可能であって、当該取り外しにより、前記第１フレームは前記第２フレームに対して前記第１の所定角度を超えて回動可能となり、
前記第１フレームと前記第２フレームとは分離可能であって、前記第１フレームを、前記第２フレームに対して前記第１の所定角度を超えて、第２の所定角度まで回動させた後、前記カードの排出方向に平行移動させることにより両フレームが分離することを特徴とするカード処理装置。
【請求項２】
請求項１に記載のカード処理装置において、
前記回動機構は、
前記第１の基部に形成され、前記カードの挿入方向に対して側方へ突出する突出部と、
前記第２の基部に形成され、前記カードの挿入方向に延びた後、その終端部から前記カードの厚み方向に延びたＬ字形の案内溝と、
から構成されることを特徴とするカード処理装置。
【請求項３】
請求項２に記載のカード処理装置において、
前記案内溝の内、前記カードの挿入方向に延びた案内溝の一端は、開口していることを特徴とするカード処理装置。
【請求項４】
請求項１に記載のカード処理装置において、
前記第１回動規制部材は、前記第１の基部の上方に取り付けられた金属製の天板の一部に形成された係合突起であり、
前記第２回動規制部材は、前記第２の基部の側方に取り付けられた金属製の側板の一部に形成された係合突起であることを特徴とするカード処理装置。
【請求項５】
請求項４に記載のカード処理装置において、
前記第２回動規制部材を、前記側板の一部に形成された係合突起に代えて、前記第２の基部の側方に形成した係合突起で構成したことを特徴とするカード処理装置。
【発明の詳細な説明】
【技術分野】
【０００１】
本発明は、自動取引装置等に搭載されるカード処理装置に関するものであり、特に、カードの搬入／排出動作を自動で行うカード処理装置に関するものである。
【背景技術】
【０００２】
ＡＴＭ（Automatic Teller  Machine）に代表される自動取引装置等には、取引に使用されるカードを取り扱うためのカード処理装置が搭載されている。このカード処理装置は、例えば、カードの表面にＩＣ（Integrated Circuit）チップの端子（以下「ＩＣ端子」という。）を備えたＩＣカードや、カードの表面に磁気ストライプを備えた磁気カード、あるいは、カードの表面にＩＣ端子を備えるとともに、その裏面に磁気ストライプを備えたＩＣ／磁気併用型カードが利用可能な構成となっている。
【０００３】
ＩＣ／磁気併用型カードが利用可能なカード処理装置の内部は、例えば、図１３に示すような構造になっている。図１３に示すカード処理装置２００において、２０１は、カード３００を挿入するための挿入口であり、２０２は、カード処理装置２００内部にカード３００を搬送する際の搬送路であり、２０３は、カード３００を搬送するためのローラである。また、２０４は、カード３００のＩＣ端子（図示省略）に接触することでデータの読出しや書込みを行うＩＣ接点部であり、２０５は、カード３００の磁気ストライプ（図示省略）に接触することでデータの読出しや書込みを行う磁気ヘッドである。２０６は、カード処理装置２００の制御を行うための部品（図示省略）が搭載された制御基板である。
【０００４】
上述したＩＣ接点部２０４や磁気ヘッド２０５は、カード３００の搬入／排出動作が繰り返し行われることにより、次第に汚損され、磨耗していく。また、長年の使用等による歪みや欠損のあるカード３００が、カード処理装置２００に挿入された場合は、当該カード３００が正常に搬入／排出されずに、カード処理装置２００の内部に詰まってしまう場合がある。
【０００５】
このため、ＩＣ接点部２０４や磁気ヘッド２０５が汚損または磨耗した場合は、これらの清掃や交換を行う必要があり、また、カード処理装置２００の内部にカード３００が詰まった場合は、当該カード３００を手動で除去しなければならない。
【０００６】
このような清掃・交換作業や除去作業を容易にするために、カードの挿入口２０１から延びているカード３００の搬送路２０２を中心として、上下に分割可能な構造としたカード処理装置が、下記特許文献１〜５に記載されている。
【０００７】
【特許文献１】特許第２９７６０９３号公報
【特許文献２】特開平１０−２８３４４４号公報
【特許文献３】特開平１０−２８３４４３号公報
【特許文献４】特開２０００−２０７４９９号公報
【特許文献５】特許第２８６４３４４号公報
【発明の開示】
【発明が解決しようとする課題】
【０００８】
しかしながら、図１３において上記特許文献に記載されたいずれの構成を採用した場合でも、カード処理装置の上部を回転させて、当該カード処理装置を開口させた場合、ＩＣ接点部２０４と制御基板２０６とを接続するケーブル（図示省略）が引っ張られるため、これにより、当該ケーブルの抜脱や断線が生じる場合がある。これは、カード処理装置の下部を回転させて、当該カード処理装置を開口させた場合も同様であり、この場合、磁気ヘッド２０５と制御基板２０６とを接続するケーブルが引っ張られるため、これにより、当該ケーブルの抜脱や断線が生じる場合がある。
【０００９】
このため、カード処理装置の開口に際しては、十分な注意が必要となるが、状況によっては、カード処理装置の上部または下部を大きく回転させて開口しなければならない場合もあり、この場合には、ケーブルの抜脱や断線が生じやすくなる。
【００１０】
本発明は、上述した問題点に鑑み、上下に分割可能な構造のカード処理装置において、カード処理装置の上部または下部を回転させて開口させた場合に、当該カード処理装置の各部の破損を抑制することが出来るカード処理装置を提供することを目的としている。
【課題を解決するための手段】
【００１１】
本発明に係るカード処理装置は、挿入されたカードを搬送するための搬送路を形成する一対のフレームと、一対のフレームの内、いずれか一方のフレームを他方のフレームに対して回動させるための回動機構とを備えており、一対のフレームを、第１の基部と第１回動規制部材とを有する第１フレームと、第２の基部と第２回動規制部材とを有する第２フレームとから構成している。そして、第１回動規制部材と第２回動規制部材とにより、第１フレームを第２フレームに対して第１の所定角度内で回動させる場合の回動範囲を規制する。また、第１回動規制部材および／または第２回動規制部材は、第１フレームおよび／または第２フレームから取り外し可能であって、当該取り外しにより、第１フレームは第２フレームに対して第１の所定角度を超えて回動可能となる。さらに、第１フレームと第２フレームとは分離可能であって、第１フレームを、第２フレームに対して第１の所定角度を超えて、第２の所定角度まで回動させた後、カードの排出方向に平行移動させることにより両フレームが分離する。
【００１２】
このようにすることで、第１フレームを第２フレームに対して回動させる場合に、第１の所定角度までしか回動しない段階と、第１の所定角度を超えて回動するが、第１フレームと第２フレームとを分離することが出来ない段階と、第１フレームと第２フレームとを分離することが出来る段階とを選択することが出来るため、カード処理装置を開口した場合における、当該カード処理装置の各部の破損を抑制することが出来る。
【００１３】
本発明のカード処理装置において、回動機構は、第１の基部に形成されカードの挿入方向に対して側方へ突出する突出部と、第２の基部に形成されカードの挿入方向に延びた後、その終端部からカードの厚み方向に延びたＬ字形の案内溝とから構成してもよい。
【００１４】
このようにすることで、第２の所定角度まで第１フレームを回動させた場合にのみ、当該第１フレームをカードの排出方向に平行移動させることが出来るため、第１フレームと第２フレームとが分離する条件を限定することができ、以って、カード処理装置を開口した場合における、当該カード処理装置の各部の破損を効果的に抑制することが出来る。
【００１５】
本発明のカード処理装置において、案内溝の内、カードの挿入方向に延びた案内溝の一端は、開口していてもよい。
【００１６】
このようにすることで、略垂直の姿勢にある第１フレームをカードの排出方向に平行移動させると、第１の基部の突出部が第２の基部の案内溝から離脱するので、第１フレームと第２フレームとを容易に分離することが出来る。
【００１７】
本発明のカード処理装置において、第１回動規制部材は、第１の基部の上方に取り付けられた金属製の天板の一部に形成された係合突起とし、第２回動規制部材は、第２の基部の側方に取り付けられた金属製の側板の一部に形成された係合突起としてもよい。
【００１８】
このようにすることで、互いの係合突起の係合に際して、過度な力が加えられた場合においても、それぞれの係合突起が破損することなく、係合状態を維持することが出来るため、カード処理装置を開口した場合における、当該カード処理装置の各部の破損を抑制することが出来る。
【００１９】
本発明のカード処理装置において、第２回動規制部材を、側板の一部に形成された係合突起に代えて、第２の基部の側方に形成した係合突起で構成してもよい。
【００２０】
このようにすることで、側板を省略して部品点数を削減することが出来るため、工数やコストの増加を抑制することが出来る。
【発明の効果】
【００２１】
本発明によれば、フレームが第１の所定角度までしか回動しない段階と、第１の所定角度を超えて回動するがフレームを分離出来ない段階と、フレームを分離出来る段階とを選択することが出来るため、開口時における各部の破損を抑制することが可能なカード処理装置を得ることができる。
【発明を実施するための最良の形態】
【００２２】
以下、本発明の実施形態につき、図面を参照しながら説明する。以下の図では、  同一部分または対応する部分に同一符号を付してある。
【００２３】
図１は、本発明の実施形態であるカード処理装置１００の外観図であり、カード３００の挿入方向に対して左側面方向から見た状態を示している。図２は、図１と同様、カード処理装置１００の外観図であり、カード３００の挿入方向に対して右側面方向から見た状態を示している。
【００２４】
ここで、カード３００の挿入方向は、図中のＩで示される方向であり、以下、「挿入方向Ｉ」と記載する。同様に、上述した左側面方向は、図中のＬで示される方向であり、以下、「左側面方向Ｌ」と記載する。上述した右側面方向は、図中のＲで示される方向であり、以下、「右側面方向Ｒ」と記載する。
【００２５】
また、カード３００の排出方向は、挿入方向Ｉと反対の方向、つまり、図中のＯで示される方向であり、以下、「排出方向Ｏ」と記載する。さらに、挿入方向Ｉ−排出方向Ｏ、および、左側面方向Ｌ−右側面方向Ｒとそれぞれ直交する上向きの方向は、図中のＵで示される方向であり、以下、「垂直上方向Ｕ」と記載する。同様に、挿入方向Ｉ−排出方向Ｏ、および、左側面方向Ｌ−右側面方向Ｒとそれぞれ直交する下向きの方向は、図中のＤで示される方向であり、以下、「垂直下方向Ｄ」と記載する。
【００２６】
図１〜図２に示されるカード処理装置１００は、詳しくは、図３に示すとおり、上部フレーム１１と、下部フレーム５１とから構成されている。更に詳しくは、上部フレーム１１は、金属製の天板２１と、本体上部３１とから構成されており、下部フレーム５１は、金属製の側板６１と、本体下部７１とから構成されている。
【００２７】
ここで、上部フレーム１１は、本発明における第１フレームの一実施形態であり、下部フレーム５１は、本発明における第２フレームの一実施形態である。また、本体上部３１は、本発明における第１の基部の一実施形態であり、本体下部７１は、本発明における第２の基部の一実施形態である。
【００２８】
挿入方向Ｉに向かってカード処理装置１００を見た状態は、図４で示され、当該図４中において斜線部で示される箇所は、カード処理装置１００内にカード３００（図１）を搬送するための搬送路４１である。また、図中の４２は、カード３００の挿入口を示している。
【００２９】
図３において、天板２１には、挿入口４２（図４）の反対側に位置する端部に突出片２２が形成されている。詳しくは、突出片２２は、天板２１の右側面方向Ｒの端部から、天板２１の面に対して垂直下方向Ｄに突出している。そして、この突出片２２の先端には、当該突出片２２に対して略垂直な方向、つまり、右側面方向Ｒに突出した係合部２３が形成されている。ここで、係合部２３は、本発明にける第１回動規制部材の一実施形態である。
【００３０】
また、天板２１には、突出片２２とは別の突出片２４が形成されている。詳しくは、突出片２４は、突出片２２の近傍位置に形成されており、垂直下方向Ｄに突出している。そして、この突出片２４には、当該天板２１と本体上部３１とを固定する固定部材（図示省略）を取り付けるための取付孔２５が穿設されている。
【００３１】
本体上部３１（図３）には、挿入口４２（図４）の反対側に位置する端部の２箇所に、カード３００の挿入方向Ｉに対して側方へ突出する突出部３２が形成されている。詳しくは、突出部３２の一方は、本体上部３１の右側面方向Ｒの側面に形成されており、当該側面に対して略垂直な方向、つまり、右側面方向Ｒに突出している。突出部３２の他方は、本体上部３１の左側面方向Ｌの側面に形成されており、当該側面に対して略垂直な方向、つまり、左側面方向Ｌに突出している。ここで、突出部３２は、本発明における回動機構の一実施形態である。
【００３２】
また、本体上部３１の右側面方向Ｒの側面には、当該本体上部３１と天板２１とを固定する固定部材（図示省略）を取り付けるための取付孔３３が穿設されている。尚、本体上部３１と天板２１とを固定する場合は、取付孔２５および取付孔３３に上述した固定部材を貫入させて固定する。さらに、本体上部３１には、前述したＩＣ接点部２０４（図１３）を取り付けるための取付孔３４が穿設されている。なお、ＩＣ接点部２０４は、ケーブル（図示省略）を介して、側版６１と反対側に設けられた制御基板（図示省略）に接続されている。
【００３３】
側板６１（図３）には、挿入口４２（図４）の反対側に位置する端部に突出片６２が形成されている。詳しくは、突出片６２は、側板６１の端部から、天板２１の面に対して垂直上方向Ｕに突出している。そして、この突出片６２の先端には、係合部６３が形成されており、当該係合部６３は、突出片６２に対して略垂直な方向、つまり、左側面方向Ｌに突出している。ここで、係合部６３は、本発明における第２回動規制部材の一実施形態である。
【００３４】
また、側板６１には、後述する嵌合部７４を取り付けるための取付孔６４が穿設されている。
【００３５】
本体下部７１には、挿入口４２の反対側に位置する端部の２箇所に係合部７２が形成されている。詳しくは、係合部７２の一方は、本体下部７１の右側面方向Ｒの端部から、垂直上方向Ｕに突出している。係合部７２の他方は、本体下部７１の左側面方向Ｌの端部から、垂直上方向Ｕに突出している。
【００３６】
そして、各係合部７２には、本体上部３１の突出部３２を係合させて、本体上部３１を挿入方向Ｉや排出方向Ｏ、垂直上方向Ｕや垂直下方向Ｄにスライドさせるための案内溝７３が、それぞれ形成されている。案内溝７３は、カード３００の挿入方向Ｉに延びた後、その終端部からカード３００の厚み方向（垂直上方向Ｕ）に延びたＬ字形の形状を有している。ここで、案内溝７３は、本発明にける回動機構の一実施形態である。
【００３７】
また、本体下部７１には、挿入口４２の反対側に位置する端部の１箇所に嵌合部７４が形成されている。この嵌合部７４は、右側面方向Ｒに突出しており、当該嵌合部７４と上述した取付孔６４とを嵌合させることにより、側板６１と本体下部７１とが固定される。
【００３８】
さらに、本体下部７１には、前述した磁気ヘッド２０５（図１３）を取り付けるための取付孔７５と、搬送路４１（図４）の一部である凹状の収容部７６とが形成されている。尚、搬送路４１は、この収容部７６と本体上部３１の底面（図示省略）によって構成されている。
【００３９】
以上の構成からなるカード処理装置１００において、例えば、取付孔３４に取り付けられたＩＣ接点部（図示省略）や、取付孔７５に取り付けられた磁気ヘッド（図示省略）等の清掃を行う場合や、収容部７６に留まっているカード３００を取り除く場合は、上部フレーム１１を４５°の角度まで回転させて、カード処理装置１００を開口させる。
【００４０】
詳しくは、まず始めに、上部フレーム１１を挿入方向Ｉに押圧することにより、Ｌ字形の案内溝７３におけるコーナー位置まで、係合突起３２をスライドさせる。詳しくは、図５に示す初期位置Ｓから、図６に示す所定位置Ｐ（コーナー位置）まで突出部３２をスライドさせる。
【００４１】
続いて、挿入口４２側の上部フレーム１１の端部を垂直上方向Ｕに持ち上げるようにして、突出部３２回りに当該上部フレーム１１を回転させる。そして、上部フレーム１１の回転が規制される位置まで、当該上部フレーム１１を回転させ、カード処理装置１００に設けられている保持機構（図示省略）により、上部フレーム１１の開口状態を保持する。
【００４２】
詳しくは、上部フレーム１１を回転させる直前の天板２１と側板６１の位置関係は、図７で示され、図中において、天板２１に形成されている係合部２３と、側板６１に形成されている係合部６３は、離れた状態にある。つまり、係合部２３と係合部６３とが係合していない状態にある。
【００４３】
そして、図７の状態から、上部フレーム１１を更に回動させてゆくと、図８の（ａ）〜（ｃ）に示すように、係合部２３と係合部６３は次第に接近し、最終的には、図８の（ｃ）に示すように、係合部２３と係合部６３とが係合する。これにより、上部フレーム１１の回動が４５°の範囲に規制される。尚、上部フレーム１１の回動が規制される角度４５°は、本発明における第１の所定角度の一例である。
【００４４】
ここで、上部フレーム１１の回動規制時において、図９に示すように、突出部３２は、案内溝７３の上端に位置するため、例えば、上部フレーム１１（図３）が、排出方向Ｏに押圧された場合においても、案内溝７３に沿って突出部３２はスライドしない。よって、上部フレーム１１は、下部フレーム５１から不意に脱落することはない。
【００４５】
次に、カード処理装置１００において、例えば、上部フレーム１１の本体上部３１を取り替える場合は、係合部２３と係合部６３との係合による上部フレーム１１の回動規制を解除した後、さらに、上部フレーム１１を回動させてカード処理装置１００から取り外す。
【００４６】
詳しくは、まず始めに、本体上部３１と天板２１とを固定するための固定部材（図示省略）を取付孔３３から取り外し、本体上部３１から天板２１を取り外す。これにより、上述した係合部２３と係合部６３の係合がなくなるため、係合部２３と係合部６３との係合による上部フレーム１１の回動規制が解除される。
【００４７】
続いて、図１０に示すように、本体上部３１を９０°の角度まで回転させた後、そのままの状態で排出方向Ｏに押圧して、案内溝７３（図３）に沿って突出部３２（図３）を排出方向Ｏにスライドさせる。
【００４８】
詳しくは、本体上部３１を９０°の角度まで回転させることにより、突出部３２（図３）は、図９に示す状態から図６に示す状態に移行する。これにより、案内溝７３に沿って突出部３２をスライドさせることが可能となるため、本体上部３１を排出方向Ｏに押圧しながらスライドさせ、図５に示す状態まで突出部３２を移動させる。尚、本体上部３１を排出方向Ｏにスライドさせることが可能となる当該本体上部３１の回動角度９０°は、本発明における第２の所定角度の一例である。
【００４９】
そして、案内溝７３は、図３に示されるように排出方向Ｏ側の端部が開口しているため、図５の状態から、更に、本体上部３１を排出方向Ｏに押圧しながらスライドさせることにより、図１１に示すように、本体上部３１と下部フレーム５１とを分離させることが出来る。
【００５０】
このように上述した実施形態においては、上部フレーム１１を下部フレーム５１に対して４５°の角度内で回動させる場合は、係合部２３と係合部６３との係合により、上部フレーム１１の回動が規制される範囲で回動させ（図８）、上部フレーム１１を下部フレーム５１に対して４５°の角度を超えて回動させる場合は、本体上部３１に取り付けられた天板２１を取り外した後に回動させ（図１０）、上部フレーム１１と下部フレーム５１とを分離する場合は、天板２１が取り外された本体上部３１を９０°の角度まで回動させた後、排出方向Ｏにスライドさせる（図１１）。これにより、４５°の角度までしか回動しない段階と、４５°の角度を超えて回動するが、上部フレーム１１と下部フレーム５１とを分離することが出来ない段階と、上部フレーム１１と下部フレーム５１とを分離することが出来る段階とを選択することが出来るため、カード処理装置１００を開口した場合における、ＩＣ接点部２０４と制御基板とを結ぶケーブルの抜脱や断線を抑制することが出来る。
【００５１】
本発明では、以上述べた以外にも種々の実施形態を採用することができる。例えば、上記実施形態では、天板２１に形成された係合部２３と側板６１に形成された係合部６３とを係合させて、上部フレーム１１の回動範囲を規制したが、これに限られず、係合部２３を図３に示す方向とは反対の方向、つまり、左側面方向Ｌに突出させ、側板６１の係合部６３に代えて、本体下部７１の係合部７２の外側面に、図１２に示す突出部８１を右側面方向Ｒに突出するように形成し、この突出部８１を、左側面方向Ｌに突出させた係合部２３と係合させることにより、上部フレーム１１の回動範囲を規制してもよい。
【００５２】
また、上記実施形態においては、本体上部３１から天板２１を取り外すことにより、係合部２３、６３による上部フレーム１１の回動規制を解除したが、本体下部７１から側版６１を取り外すことにより、係合部２３、６３による上部フレーム１１の回動規制を解除するようにしてもよい。
【００５３】
さらに、上記実施形態においては、上部フレーム１１の回動が規制される角度、つまり、本発明における第１の所定角度を４５°とし、本体上部３１を排出方向Ｏにスライドさせることが可能となる当該本体上部３１の回動角度、つまり、本発明における第２の所定角度を９０°としたが、これに限られず、第１の所定角度を、例えば４０°や５０°とし、第２の所定角度を、例えば８５°や９５°としてもよい。
【図面の簡単な説明】
【００５４】
【図１】カードの挿入方向に対して左側面方向から見たカード処理装置の外観図である。
【図２】カードの挿入方向に対して右側面方向から見たカード処理装置の外観図である。
【図３】カード処理装置の構造を示した図である。
【図４】カードの挿入方向から見たカード処理装置の外観図である。
【図５】案内溝における係合突起の動きを説明する図である。
【図６】案内溝における係合突起の動きを説明する図である。
【図７】天板と側板を示した図である。
【図８】上部フレームの回動規制を説明する図である。
【図９】案内溝における係合突起の動きを説明する図である。
【図１０】本体上部の取り外し直前の状態を示した図である。
【図１１】本体上部の取り外し直後の状態を示した図である。
【図１２】他の実施形態の要部を示した図である。
【図１３】従来のカード処理装置を示した図である。
【符号の説明】
【００５５】
１１  上部フレーム
２３  係合部
３１  本体上部
３２  突出部
５１  下部フレーム
６３  係合部
７１  本体下部
７３  案内溝
１００  カード処理装置
【図１】
2010152635.tif 000003
【図２】
2010152635.tif 000004
【図３】
2010152635.tif 000005
【図４】
2010152635.tif 000006
【図５】
2010152635.tif 000007
【図６】
2010152635.tif 000008
【図７】
2010152635.tif 000009
【図８】
2010152635.tif 000010
【図９】
2010152635.tif 000011
【図１０】
2010152635.tif 000012
【図１１】
2010152635.tif 000013
【図１２】
2010152635.tif 000014
【図１３】
2010152635.tif 000015